(57)【要約】【課題】本発明は即席調理用発熱袋に関し、外部袋の内部に食物が収容される内部袋が内入されて、接合によって一体に形成され、外部袋と内部袋との間に形成された空間には発熱剤と水溶液袋が備えられ、水溶液袋と連結される切取手段が備えられて、使用者が切取手段を引っ張る簡単な操作で食物を即席で加熱、調理することができるようにすることにより、別途の調理器具を使用せずに野外で手軽に暖かい食物を摂取することができるようにする即席調理用発熱袋に関する。【解決手段】本発明に係る即席調理用発熱袋は、上部は開放され、下部は閉鎖されて形成され、内部に内容物を収容した状態で、上端部を接合して内部を密閉する外部袋と、前記外部袋の内部に収容されるが、上部は開放され、下部は閉鎖されて、内部に食物が収容され、開放された上部の開口に開閉ジッパーが備えられる内部袋と、前記外部袋と内部袋との間に形成された発熱空間部に収容され、水溶液と反応して熱を発生させる発熱剤を含む即席調理用発熱袋において、前記発熱空間部に収容され、内部に前記発熱剤を反応させる水溶液が入っている水溶液袋と、一端部が前記水溶液袋の一側に連結されるが、外力によって引っ張られながら、前記水溶液袋を切り取る切取手段とをさらに含み、前記水溶液袋は、一側辺縁が前記外部袋の内面に第1接合ラインに沿って接合されたことを特徴とする。【選択図】図１
2017528218.tif 000002
【特許請求の範囲】
【請求項１】
上部は開放され、下部は閉鎖されて形成され、内部に内容物を収容した状態で上端部を接合して内部を密閉する外部袋と、
前記外部袋の内部に収容され、上部は開放され、下部は閉鎖されており、内部に飲食物が収容され、開放された上部の開口に開閉ジッパーが備えられた内部袋と、
前記外部袋と内部袋との間に形成された発熱空間部に収容され、水溶液と反応して熱を発生する発熱剤と、を含む即席調理用発熱袋において、
前記発熱空間部に収容され、内部に前記発熱剤を反応させる水溶液が入っている水溶液袋と、
一端部が前記水溶液袋の一側に連結されるが、外力によって引っ張られながら、前記水溶液袋を切り取る切取手段と、さらに含み、
前記水溶液袋は、一側辺縁が前記外部袋の内面に第１接合ラインに沿って接合されていることを特徴とする即席調理用発熱袋。
【請求項２】
前記水溶液袋は、一側辺縁に前記外部袋の内面と接合させるためのスカートが延長して形成され、前記水溶液袋の切り取りが容易になるように、前記スカートの長さ方向の一側に所定の幅で切開された切取片が形成されたことを特徴とする請求項１に記載の即席調理用発熱袋。
【請求項３】
前記切取片の中央部に前記切取手段の一端が挿入されて連結される連結孔が形成され、
前記切取手段は、所定の長さを有するスティック状に形成され、一端部が前記連結孔に挿入されて連結された状態で、他端部を引っ張る場合、一端部が前記連結孔から抜けないように幅方向の両側に係止片が形成され、一端部が前記連結孔に挿入されて連結された状態で、一端部の位置を固定させるように、前記係止片と所定間隔離隔されて、幅方向の両側に固定突起が形成され、他端部は使用者が指をかけて容易に引っ張ることができるように先端が尖った楕円形のプルリングが備えられていることを特徴とする請求項２に記載の即席調理用発熱袋。
【請求項４】
前記プルリングは、一部が前記外部袋の上端部と前記内部袋の開閉ジッパーとの間に形成された上部空間部に露出するように前記外部袋と前記内部袋が接合される第２接合ライン上にかけて配置された状態で、前記プルリングの内側まで前記第２接合ラインに沿って熱圧着により一体に接合されていることを特徴とする請求項３に記載の即席調理用発熱袋。
【請求項５】
前記上部空間部に露出された前記プルリングの一部を引っ張る場合、前記第２接合ラインの中の前記プルリングの内側接合部分が分離されながら発熱反応時に発生する蒸気を排出する蒸気排出口が形成されることを特徴とする請求項４に記載の即席調理用発熱袋。
【発明の詳細な説明】
【技術分野】
【０００１】
本発明は、即席調理用発熱袋に関し、より詳しくは、外部袋の内側に食物が収容される内部袋が収納されて接合によって一体に形成され、外部袋と内部袋との間に形成された空間には発熱剤と水溶液袋が備えられ、水溶液袋と連結される切取手段が備えられて、使用者が切取手段を引っ張る簡単な操作により食物を即席で加熱、調理することができるようにすることにより、別途の調理器具を用いることなく野外で手軽に暖かい食物を摂取することができる即席調理用発熱袋に関する。
【背景技術】
【０００２】
韓国の食文化は、主食である米から各種チゲやスープに至るまで加熱して調理する食品の割合が非常に高い方である。このような理由から、野外で主に行われる各種レジャー活動中に食事をする場合にも、携帯バーナーなどを利用して食物を調理する場合が多かった。
【０００３】
しかしながら、山や公園など環境保護及び火災予防の理由により火を利用した食物の調理を禁止するところが多くなり、野外活動時に火を利用した調理過程が必要のない食物を準備する必要がある場合が多くなった。
【０００４】
最近では、人々の生活水準が向上するにつれて、健康及びレジャー活動に対する関心が高くなり、登山、釣り、スポーツ観戦などの野外活動がますます増加しており、そこで、コンビニやスーパーなどで簡単に購入することができ、火を利用した調理過程なしに野外で手軽に食べることができる即席弁当、パン、サンドイッチ、缶飲料などのような携帯用食品の需要が増加している。
【０００５】
しかしながら、上記のような携帯用食品は寒い日も火を利用して暖めて食べることができないため、冷たい状態の携帯食品をそのまま食べざるを得なかった。
上記のような携帯用食品を冷たい状態のまま食べる場合、食品の本当の味を感じることができないだけでなく、一部の人は冷たい食品により腹痛を起こすこともある。
【０００６】
上記のような問題点を解決するために、最近では、野外で食品を簡単で、且つ安全に暖めて食べることができる携帯用食品加熱容器が開発されている。
その一例として、特許文献１に記載のような大韓民国登録実用新案第２０−０４２０１５５号（登録日：２００６．６．２２）「発熱体を利用した使い捨て加熱袋」がある。上記従来技術における使い捨て加熱袋は、所定用量の袋に発熱剤を入れ、水を注いで発熱剤の水和反応時に発生する１００℃前後の熱を利用して、食物などを加熱調理するものである。
【０００７】
このような使い捨て加熱袋は、発熱体と水が収納される空間は形成されているが、食物が収納される空間は別途に形成されていなくて、上記使い捨て加熱袋に食物を入れて調理する場合、発熱体と水の反応生成物、または残留によって食物が汚染されないようにするために、食物を別途の容器体やビニールに入れて密封したり、ラップで包まなければならないという煩雑な問題点があった。
また、上記のような使い捨て加熱袋は、発熱された熱の損失を低減することができるように密閉され、発熱の場合、発熱時に発生する水蒸気の圧力で袋が膨張して破裂するという問題が発生する。
【０００８】
上記のような問題点を解消するために、従来技術として、大韓民国公開実用新案第２０−２０１０−０００９４０６号（公開日：２０１０．９．２９）の「携帯用発熱調理器具」が提案されている。
上記従来技術は、発熱剤が入っている外部袋の内側に食物を入れることができる別途の内部袋が外部袋の内部に収容されていて、外部袋に一体に付着された構造の携帯用発熱調理器具が開示されている。
【０００９】
また、上記携帯用発熱調理器具の場合、加熱時に外部袋の上部に位置した開口の開閉用ジッパーを閉鎖することにより、外部袋内に閉鎖された発熱室が形成されるようにし、その外部袋の上側部に蒸気を排出するための孔が形成されていて、発熱剤と水の水和反応による急激な加圧膨張に対応するようになっている。
【００１０】
しかしながら、上記のような従来の携帯用発熱調理器具は、発熱剤と水を投入するための別途の投入口を設けなければならず、その投入口を開閉するためのジッパーも別途に備える構造であるため、その製造が複雑であるという欠点がある。また、別に設けられた投入口は、閉鎖性を確保するために可能な限り小さく形成されているため、発熱剤と水の投入が不便であるという欠点がある。
【００１１】
また、上記のような従来の携帯用発熱調理器具は、蒸気を排出するための孔が外部袋の上部に予め形成された構造を有する。従って、流通時に外部袋の内部に空気が流動することができる構造であるため、流通時、空気中に含まれる水分と反応しないように発熱剤を別途に包装しなければならず、また、使用時にはその包装を除去しなければならないという不便がある。
【先行技術文献】
【特許文献】
【００１２】
【特許文献１】大韓民国登録実用新案第２０−０４２０１５５号公報
【特許文献２】大韓民国公開実用新案第２０−２０１０−０００９４０６号公報
【発明の概要】
【発明が解決しようとする課題】
【００１３】
本発明は、上記のような問題点を解決するために案出されたもので、本発明の目的は、外部袋の内側に食物が収容される内部袋が収納されていて接合によって一体に形成され、外部袋と内部袋との間に形成された発熱空間部には発熱剤と水溶液袋が一緒に備えられることにより、発熱剤を反応させるための別途の水溶液を投入しなくてもよく、水溶液袋を切り取ることができるように水溶液袋の一側に連結される切取手段が備えられて、使用者が切取手段を引っ張る簡単な操作だけで、食物を簡単に加熱、調理して摂取することができる即席調理用発熱袋を提供することにある。
【００１４】
また、本発明の他の目的は、包装状態では、空気中の水分が内部に流入しないように外部袋と内部袋が接合されていて発熱空間部が密閉状態を保持し、使用者が食物を加熱するために切取手段を引っ張った場合、外部袋と内部袋との接合ラインの一部が破れて蒸気排出口が形成されるようにすることにより、包装状態では発熱剤に空気中の水分が接触することを防止し、食物の加熱時には発生した蒸気が新たに形成された上記蒸気排出口を介して抜けるようにして、蒸気の圧力によって袋が破裂するのを防止することができるようにした即席調理用発熱袋を提供することにある。
【課題を解決するための手段】
【００１５】
上記のような目的を達するために、本発明に係る即席調理用発熱袋は、上部は開放され、下部は閉鎖されて形成され、内部に内容物を収容した状態で、上端部を接合して内部を密閉する外部袋と、上記外部袋の内部に収容され、上部は開放され、下部は閉鎖されて、内部に食物が収容され、開放された上部の開口に開閉ジッパーが備えられた内部袋と、上記外部袋と内部袋との間に形成された発熱空間部に収容され、水溶液と反応して熱を発生させる発熱剤とを含む即席調理用発熱袋において、上記発熱空間部に収容され、内部に上記発熱剤を反応させる水溶液が入っている水溶液袋と、一端部が上記水溶液袋の一側に連結されて、外力によって引っ張られながら、上記水溶液袋を切り取る切取手段とをさらに含み、上記水溶液袋は、一側辺縁が上記外部袋の内面に第１接合ラインに沿って接合されていることを特徴とする。
【００１６】
また、本発明に係る即席調理用発熱袋の上記水溶液袋は、一側辺縁に上記外部袋の内面と接合させるためのスカートが延長して形成され、上記水溶液袋の切り取りが容易になるように、上記スカートの長さ方向の一側に所定幅に切開された切取片が形成されていることを特徴とする。
【００１７】
また、本発明に係る即席調理用発熱袋は、上記切取片の中央部に上記切取手段の一端が挿入されて連結される連結孔が形成され、上記切取手段は、所定の長さを有するスティック状に形成され、一端部が上記連結孔に挿入されて連結された状態で、他端部を引っ張った場合、一端部が上記連結孔から抜けないように幅方向の両側に係止片が形成され、一端部が上記連結孔に挿入されて連結された状態で、一端部の位置を固定させるように、上記係止片と所定間隔離隔されて、幅方向の両側に固定突起が形成され、他端部は使用者が指を入れて引っ張ることが容易なように先がとがった楕円形のプルリングが備えられたことを特徴とする。
【００１８】
また、本発明に係る即席調理用発熱袋の上記プルリングは、一部が上記外部袋の上端部と上記内部袋の開閉ジッパーとの間に形成された上部空間部に露出されるように上記外部袋と上記内部袋が接合される第２接合ライン上にかけて配置された状態で、上記プルリングの内側まで上記第２接合ラインに沿って熱圧着により一体に接合されていることを特徴とする。
【００１９】
また、本発明に係る即席調理用発熱袋は、上記上部空間部に露出された上記プルリングの一部を引っ張った場合、上記第２接合ラインの中の上記プルリングの内側接合部分が分離されながら、発熱反応時に発生する蒸気を排出する蒸気排出口が形成されることを特徴とする。
【発明の効果】
【００２０】
上記のような構成によって、本発明に係る即席調理用発熱袋は、外部袋の内側に食物が収容される内部袋が収納されて接合により一体に形成され、外部袋と内部袋との間に形成された発熱空間部には発熱剤と水溶液袋が一緒に備えられることにより発熱剤を反応させるための別途の水溶液を投入しなくてもよく、水溶液袋を切り取ることができるように水溶液袋の一側に連結される切取手段が備えられて、使用者が切取手段を引っ張る簡単な操作だけで食物を簡単に加熱、調理して摂取することができるという長所を有する。
【００２１】
また、本発明に係る即席調理用発熱袋は、包装状態では、空気中の水分が内部に流入しないように外部袋と内部袋とが接合されて発熱空間部が密閉状態を保持し、使用者が食物を加熱するために切取手段を引っ張る場合、外部袋と内部袋との接合ラインの一部が破れながら蒸気排出口が形成されるようにすることにより、包装状態では発熱剤に空気中の水分が接触されることを防止し、食物の加熱時には発生した蒸気が新たに形成された上記蒸気排出口を介して抜けるようにして、蒸気の圧力によって袋が破裂されることを防止することができるという長所を有する。
【図面の簡単な説明】
【００２２】
【図１】本発明の一実施形態に係る即席調理用発熱袋の正面構成図である。
【図２】本発明の一実施形態に係る即席調理用発熱袋の断面構成図である。
【図３】図１の即席調理用発熱袋を切開溝に沿って切開した状態を示す外観斜視図である。
【図４】本発明の一実施形態に係る即席調理用発熱袋の水溶液袋切開過程及び蒸気排出口の形成過程を示す概略図である。
【図５】本発明の一実施形態に係る即席調理用発熱袋の水溶液袋と切取手段が結合される過程で示した概略図である。
【図６】図３（ａ）のＡ−Ａ’に沿う概略断面図である。
【発明を実施するための形態】
【００２３】
以下、図面に示した実施例を参照して本発明に係る即席調理用発熱袋（以下「発熱袋」という。）をより詳細に説明する。
図１は本発明の一実施形態に係る発熱袋の正面構成図であり、図２は本発明の一実施形態に係る発熱袋の断面構成図であり、図３は図１の発熱袋を切開溝に沿って切開した状態を示す外観斜視図であり、図４は、本発明の一実施形態に係る発熱袋の水溶液袋の切開過程及び蒸気排出口の形成過程を示す概略図であり、図５は本発明の一実施例による発熱袋の水溶液袋と切取手段が結合される過程を示した概略図であり、図６は図３（ａ）のＡ−Ａ’線に沿う概略断面図である。
【００２４】
図面によれば、本発明に係る発熱袋は、外部袋１０、内部袋２０、発熱剤３０、水溶液袋４０、切取手段５０を含んで構成され、食物Ｆを加熱するために、使用者が上記切取手段５０を引っ張る操作により蒸気排出口６０が形成される。
【００２５】
上記外部袋１０は、上部は開放され、下部は閉鎖されており、内部に内容物を収容した状態で、上端部を接合して内部を密閉するように構成されたもので、耐熱性ビニール素材からなる。
【００２６】
図２に示すように、本発明の一実施例では、上記外部袋１０は、二枚の外部シート１１ａ、１１ｂで構成され、左右辺縁が接合されており、上記二枚の外部シート１１ａ、１１ｂの下端部に外部下部シート１２が接合されて下部が閉鎖され、上部は開放された構造を有し、内部に上記内部袋２０、発熱剤３０、水溶液袋４０及び切取手段５０が収容された状態で開放された上端部の辺縁内面が熱圧着により接合されて内部が密閉されている。
【００２７】
上記外部袋１０は流通及び保管時に上記外部下部シート１２が折られて、全体体積を減小させることができ、食物Ｆの加熱時に上記外部下部シート１２が開かれて立てて置くことができるように構成されている。
【００２８】
一方、上記外部袋１０の内面一側には上記水溶液袋４０が第１接合ラインＬ１に沿って接合されて固定される。
また、上記外部袋１０は、図１に示すように、上端部側の両側辺縁に内側方向に相互に対向するように切開溝１５が形成されて、使用者が上記外部袋１０を切開して開封しやすく構成することができる。
【００２９】
上記内部袋２０は上記外部袋１０の内部に収容され、上部は開放され、下部は閉鎖されており、内部に飲食物Ｆが収容され、開放された上部の開口に開閉ジッパー２２が備えられた構成であり、上記外部袋１０と同じ耐熱性ビニール素材からなる。
【００３０】
図２に示すように、本発明の一実施例では、上記の内部袋２０は、幅方向よりも長さ方向の長さが相当長く形成された一枚の内部シート２１が半分に折られて二重になった状態で、幅方向の左右辺縁が接合されて、上部は開放され、下部は閉鎖された袋の形状を有し、開放された上部の開口に開閉ジッパー２２が備えられて、内部を密閉または開放させることができるように構成されている。
【００３１】
一方、上記内部袋２０は半分に折られた下端部が外部から内側に所定の深さ折られた構造に形成されて、必要に応じ下端部の折り畳まれた部分を開いて、所定面積の下端面を有するように構成されることができる。
上記内部袋２０は、下端部が上記のような構造に形成されることにより、使用者が飲食物Ｆを摂取する時、上記内部袋２０の下端部を開いて内部空間を広げることができるので、飲食物Ｆの摂取がより容易になる。
一方、上記内部袋２０は、上記外部袋１０の内部に収容された状態で、上記外部袋１０と接合され、上記内部袋２０と上記外部袋１０との間に発熱空間部１３を形成する。
【００３２】
本発明の一実施例では、上記内部袋２０が上記外部袋１０の内部に収容された状態で、上記内部袋２０の上部辺縁の両側外面が上記外部袋１０の上部両側内面に接合されて一体化されることにより、上記発熱空間部１３が形成される。
上記発熱空間部１３は、密閉状態を保持することが好ましく、その理由は、流通及び保管時に、上記発熱空間部１３に流入される空気中の水分を遮断して上記発熱剤３０が発熱反応を発生しないようにするためである。
一方、上記発熱空間部１３には、上記発熱剤３０、水溶液袋４０及び切取手段５０が配置収容される。
【００３３】
図６に示すように、本発明の一実施例では、上記外部袋１０及び内部袋２０は、それぞれ外部シート１１ａ、１１ｂと内側のシート２１ａ、２１ｂとにより二重に重なって構成され、上記外部袋１０及び内部袋２０を構成した四重のシート１１ａ、１１ｂ、２１ａ、２１ｂは、それぞれ幅方向の長さが同じであり、上記内部袋２０の二重の内側のシート２１ａ、２１ｂが上記外部袋１０の二重の外部シート１１ａ、１１ｂの間に介在されて、上記四重のシート１１ａ、１１ｂ、２１ａ、２１ｂが重なった状態で左右辺縁が一体に第３接合ラインＬ３及び第４接合ラインＬ４に沿って接合されるように構成されることができる。これは、上記のように、上記外部袋１０と内部袋２０を一体化させるだけでなく、本発明の製造工程を非常に簡素化させる方法である。
【００３４】
上記発熱剤３０は、上記外部袋１０と内部袋２０との間に形成された上記発熱空間部１３に収容され、水溶液と反応して熱を発生する構成であり、通常のアルミニウム発熱剤のような金属製発熱剤で構成されることができ、生石灰粉からなる発熱剤が使用されることもできる。
上記発熱剤３０は不織布のような湿布紙で包んだ発熱体パックの形態で形成することができる。
【００３５】
上記水溶液袋４０は、上記外部袋１０と内部袋２０との間に形成された上記発熱空間部１３に収容され、上記発熱剤３０を反応させることができるように、内部に水溶液が入っている構成であり、ビニール素材からなる包装紙で密閉包装されて形成され、流通及び保管時に発生する外力によって包装紙が破れて内部の水溶液が流れ出ないようにある程度の耐久性を有することが好ましい。
一方、上記水溶液袋４０に含まれる水溶液は純粋な水のみからなることができ、純粋な水の中に触媒が添加されて、上記発熱剤３０との反応効果をさらに高めることもできる。
【００３６】
図２に示すように、上記水溶液袋４０は、一側辺縁が上記外部袋１０の内面に第１接合ラインＬ１に沿って接合されて固定される。この場合、接合される方式は熱圧着により接合されることが好ましい。
上記水溶液袋４０は、上記外部袋１０の内面に接合されて動かないように固定されているので、使用者が上記切取手段５０を引く場合、上記水溶液袋４０の切り取りが容易になる。
【００３７】
一方、上記水溶液袋４０は、一側辺縁に上記外部袋１０の内面に接合させるためのスカート４１が延長して形成され、上記水溶液袋４０の切り取りが容易になるように、上記スカート４１の長さ方向の一側に所定の幅に切開された切取片４２が形成される。
上記スカート４１は、上記水溶液袋４０を上記外部袋１０の内面に接合させるために十分な接合面及び長さを確保するための目的で形成され、同時に上記切取片４２を形成させるための空間の確保の目的で形成される。
【００３８】
上記切取片４２は、上記切取手段５０の一端部が連結される部分で、使用者が上記切取手段５０を引っ張った場合、上記水溶液袋４０が容易に切り取られることができるように形成されたものである。
上記切取片４２は、図１に示すように、所定の幅を有する「凵」字状に切開されて形成され、切開線の両先端が上記水溶液袋４０の内側方向を向けるように形成される。
一方、上記切取片４２の中央部には、上記切取手段５０の一端が挿入されて連結される連結孔４３が形成される。
【００３９】
上記切取手段５０は、一端部が上記水溶液袋４０の一側に連結されるが、外力によって引っ張られながら、上記水溶液袋４０を切り取る構成で、全体的形状が所定の長さを有するスティック形状に構成され、一端部には係止片５１と固定突起５２が形成され、他端部にはプルリング５３が備えられる。
上記切取手段５０は、外力によって形状の変化が可能な弾性を有する素材からなることが好ましく、本発明の一実施例では、弾性変形が可能な合成樹脂材からなる。
【００４０】
上記係止片５１は、上記切取手段５０の一端部に形成されるもので、上記切取手段５０の一端部が上記連結孔４３に挿入されて連結された状態で、他端部、即ち上記プルリング５３を引っ張る場合、一端部が上記連結孔から抜けないように一端部の幅方向の両側に形成される。
【００４１】
本発明の一実施例では、図１に示すように、上記係止片５１が形成されている上記切取手段５０の一端が「⊥」状に形成されている。
上記固定突起５２は、上記切取手段５０の一端部が上記連結孔４３に挿入されて連結された状態で、一端部の位置を固定させるように上記係止片５１と所定間隔離隔されて幅方向の両側に形成される。
【００４２】
本発明の一実施例では、図１に示すように、上記固定突起５２が、上記係止片５１が形成された上記切取手段５０の一端から他端方向に向かって所定間隔離隔されて、幅方向の両側に突出して形成され、下方に傾斜するように形成される。
上記固定突起５２によって上記切取手段５０が挿入される方向と反対方向に抜けないで、上記切取手段５０の一端部が指定された位置で固定された状態を保持することができる。
即ち、上記切取手段５０の一端部が上記連結孔４３に設置された状態では、上記係止片５１と固定突起５２によって任意の方向に抜けることなく、固定された状態を保持することになる。
【００４３】
上記プルリング５３は上記切取手段５０の他端部に備えられるもので、使用者が指を入れて容易に引っ張ることができるようにリング状に形成され、上部が尖った楕円形に形成される。
上記プルリング５３は、外力によって形状変化が可能な弾性を有する素材からなる。本発明の一実施例では、弾性変形が可能な合成樹脂材からなる。
【００４４】
図５に示すように、上記プルリング５３は、全体的にリング状の薄い厚さを有する断面で形成されたので、薄い合成樹脂材で形成される場合、所定の弾性力を有するようになる。
一方、上記プルリング５３は、図１に示すように、一部が上記外部袋１０の上端部と上記内部袋２０の開閉ジッパーとの間に形成された上部空間部１４に露出されるように構成される。このように構成されることにより、使用者が上記プルリング５３の位置を容易に把握することができ、簡単に上記プルリング５３に指をかけて引くことができる。
【００４５】
また、上記プルリング５３は、上記外部袋１０と上記内部袋２０が接合される第２接合ラインＬ２上にかけて配置された状態で上記プルリング５３の内側まで上記第２接合ラインＬ２に沿って熱圧着により一体に接合される。このように接合されることにより、上記プルリング５３の一部が上記上部空間部１４に露出されながらも、同時に上記発熱空間部１３が密閉状態を保持することができる。
また、プルリング５３が、上記のように接合されて指定された位置に固定されることにより、従来引き手段として主に使用されていた紐形態の引き紐が袋の内部に深く入ってしまって、探して引くことが不便であった問題を解消することができる。
【００４６】
上記のように構成された切取手段５０は、上記切取片４２に形成された上記連結孔４３に挿入されて、上記水溶液袋４０と結合される。
【００４７】
図５を参照して上記水溶液袋４０と上記切取手段５０の結合過程を簡単に説明すれば次の通りである。
まず、上記プルリング５３の長軸の一側端部を上記連結孔４３に挿入して完全に通過するまで上記プルリング５３を押し入れる。
【００４８】
参考に、図５の（ｂ）に示すように、上記プルリング５３の長軸の一側端部が尖って形成されているので、上記プルリング５３の短軸の長さよりも直径が小さく形成された上記連結孔４３に容易に挿入することができ、また、上記プルリング５３は弾性変形が可能な材質からなり、全体的に楕円形の薄い枠形に形成されているので、上記プルリング５３が弾性変形されて短軸方向の内側空間が狭くなりながら、上記連結孔４３を通過することができる。
この状態では、上記プルリング５３に指をかけてさらに引っ張っても、上記固定突起５２を通って上記連結孔４３に上記係止片５１が係止されてそれ以上動かなくなるまで引っ張る。
このようにして上記切取手段５０と上記水溶液袋４０との結合が完了される。
【００４９】
この状態では、図５の（ｃ）に示すように、下向きに傾斜するように突出して形成された上記固定突起５２により上記切取手段５０が挿入される反対方向に抜けることなく固定された状態を保持することができる。
【００５０】
本発明に係る発熱袋は発熱反応時に発生する蒸気を排出させる蒸気排出口６０が、普段つまり流通及び保管時には形成されていなく、使用者が食物Ｆを加熱するために上記プルリング５３を引いた場合に上記蒸気排出口６０が形成されるように構成されている。
即ち、図３及び図４に示すように、上記蒸気排出口６０は上記上部空間部１４に一部が露出された上記プルリング５３を引っ張る場合、上記第２接合ラインＬ２の中の上記プルリング５３の内側接合部が分離されながら形成される。
【００５１】
即ち、上記蒸気排出口６０は、上記外部袋１０の上部一側内面と上記内部袋２０の上部一側外面との間に上記プルリング５３が介在された状態で、上記第２接合ラインＬ２に沿って一体に接合され、上記発熱空間部１３を密閉状態に保持させて、上記プルリング５３を引っ張ることにより、上記第２接合ラインＬ２の中の上記プルリング５３の内側空間に接合されていた接合部分が分離されながらその間に小さい蒸気排出用通路が形成されることで構成される。
【００５２】
以下では、図面を参照して、本発明の一実施形態に係る発熱袋の使用状態を例を挙げて簡単に説明する。
図３の（ａ）に示すように、使用者が上記外部袋１０の上部に形成された上記切開溝１５に沿って上記外部袋１０の上部を切開すると、密閉されていた上記上部空間部１４が開放されながら、上記内部袋２０の開閉ジッパー２２と、上記第２の接合ラインＬ２の上方に露出されている上記プルリング５３の一部が見えるようにする。
この状態で、上記内部袋２０の開閉ジッパー２２を開いて内部に乾燥された食物Ｆと適度な水を入れて混ぜた後、上記開閉ジッパー２２を再締結して上記内部袋２０を密閉させる。
【００５３】
その後、図４の（ａ）に示すように、上記第２接合ラインＬ２の上方に露出されている上記プルリング５３に指をかけて引っ張ると、図４の（ｂ）に示すように、上記切取手段５０の一端部に連結された上記切取片４２に沿って上記水溶液袋４０が破折され、上記水溶液袋４０に収容されていた水溶液が流れ出て、上記発熱剤３０に浸み込んで発熱反応を起こし、直ちに高温の熱を発生することになる。その高温の熱によって上記内部袋２０に収容されている飲食物Ｆが加熱調理される。
【００５４】
この時、発熱反応時に瞬間的に発生する熱によって蒸気が発生して、上記外部袋１０が急激に膨張させられるが、上記外部袋１０を構成する素材の特性上、膨張圧力に耐えることができる耐久性を有し、図３の（ｂ）及び図４の（ｂ）に示すように、上記プルリング５３を引っ張ることにより、上記第２接合ラインＬ２の一部分が分離されながら形成される上記蒸気排出口６０を通じて蒸気が少しずつ排出されるので、上記外部袋１０が破裂するなどの問題は発生しないようになる。
【００５５】
上記のように構成された本発明に係る発熱袋は、内部に飲食物Ｆが一緒に包装されて販売されたり、または飲食物Ｆがなく、発熱袋のみ販売可能で、流通時に内部の上記発熱剤３０が外部の湿気にさらされて、その機能が低下したりまたは反応しないようにし、内部に上記発熱剤３０と水溶液袋４０が一緒に収容されて、使用者の簡単な操作により、飲食物Ｆを簡単に加熱調理して摂取することができようになる。
また、飲食物Ｆの調理時に発生する蒸気を上記切取手段５０のプルリング５３を引っ張ることにより、上記外部袋１０と上記内部袋２０との間に形成される上記蒸気排出口５０を介して排出させることができるので、蒸気の圧力によって袋が破裂することを防止することができて、使用者が安全に使用することができるようになる。
【００５６】
以上、図面を通じて説明された即席調理用発熱袋は、本発明を実施するための一つの実施例に過ぎず、本発明の技術的思想を限定することに解釈してはならない。本発明の保護範囲は特許請求範囲に記載された事項により定められ、本発明の要旨を逸脱することなく、改良及び変更された実施例は本発明が属する技術分野において通常の知識を有する者にとって自明なものである限り、本発明の保護範囲に属するとすべきである。
【符号の説明】
【００５７】
１０          外部袋
１１a, １１b  外部シート
１２          外部シート
１３          発熱空間部
１４          上部空間部
１５          切開溝
２０          内部袋
２１          内部シート
２２          開閉ジッパー
３０          発熱剤
４０          水溶液袋
４１          スカート
４２          切取片
４３          連結孔
５０          切取手段
５１          係止片
５２          固定突起
５３          プルリング
６０          蒸気排出口
Ｌ１          第１接合ライン
Ｌ２          第２接合ライン
Ｌ３          第３接合ライン
Ｌ４          第４接合ライン
Ｆ            飲食物
【図１】
2017528218.tif 000003
【図２】
2017528218.tif 000004
【図３】
2017528218.tif 000005
【図４】
2017528218.tif 000006
【図５】
2017528218.tif 000007
【図６】
2017528218.tif 000008
【国際調査報告】
2017528218.tif 000009
2017528218.tif 000010
2017528218.tif 000011
2017528218.tif 000012